(57)【特許請求の範囲】
【請求項１】
入賞装置を設置した遊技盤の裏面に機構板が設置されており、その機構板に、前記入賞装置に入賞した入賞球を貯留するための貯留領域が設けられたパチンコ機であって、
少なくとも１つ以上の貯留領域を設けた複数の貯留部材が、それぞれ別々に着脱自在に機構板に設置されていることを特徴とするパチンコ機。
【発明の詳細な説明】
【０００１】
【発明の属する技術分野】
本発明は、パチンコ機に関するものである。
【０００２】
【従来の技術】
図９は、従来のパチンコ機の背面を一部省略して示したものであり、パチンコ機５１は、外枠５２の内側に、ミドル枠５３が設置されており、そのミドル枠５３の前面（パチンコ機５１の背面から見た場合の前面）に、機構板５４が設置されている。図１０は、機構板５４を示したものであり、機構板５４の中央には、貯留領域５６が設けられており、機構板５４の右側（パチンコ機５１の背面から見た場合の右側）には、遊技球払出装置６０が設けられている。さらに、貯留領域５６の下側には、遊技球通路５７が連設されており、その遊技球通路５７の下側には、セーフ球排出装置５８が設置されている。また、図９の如く、遊技盤５５の後面（パチンコ機５１の背面から見た場合の後面）には、払い出される賞品球数の少ない入賞装置５９ａ〜５９ｅと、払い出される賞品球数の多い入賞装置５９ｆとが設置されている。かかるパチンコ機５１は、遊技球が入賞装置５９ａ〜５９ｆに入賞した場合には、それらのセーフ球（入賞球）が、機構板５４に設けられた貯留領域５６に貯留した後、遊技球通路５７を流下し、しかる後、セーフ球排出装置５８によって検出されるようになっている。そして、セーフ球が、セーフ球排出装置５８によって検出された場合には、遊技球払出装置６０（図９参照）から、入賞装置５９ａ〜５９ｅへの入賞に対応した個数の賞品球（たとえば、６個）が払い出されるようになっている。一方、遊技球が入賞装置５９ｆに入賞した場合には、その入賞個数がカウンタ（図示せず）によって計数されるとともに、その数値がメモリに記憶され、記憶された数値と同じ回数だけ、入賞装置５９ｆへの入賞に対応した個数の賞品球（たとえば、１５個）が払い出されるようになっている。
【０００３】
【発明が解決しようとする課題】
しかしながら、上記従来のパチンコ機５１は、貯留領域５６が内部に入り込んだ位置に設けられているため、多くの遊技球の出入りによって貯留領域５６が汚れた場合でも、貯留領域５６を簡単に掃除できない。それゆえ、貯留領域５６内で遊技球が詰まり易い、という不具合がある。また、長期間に亘る遊技球の衝突によって貯留領域５６が損傷した場合には、機構板５４を取り外して補修したり、機構板５４を交換したりしなければならないため、補修に非常に手間がかかったり、多大な費用がかかったりする。一方、停電等が発生した場合には、メモリに記憶された数値がリセットされてしまうため、電源復帰後に、各入賞装置５９ａ〜５９ｆへの入賞に応じた正規の個数の賞品球を払い出すことができない。
【０００４】
本発明の目的は、上記従来のパチンコ機が有する問題点を解消し、貯留領域を簡単に掃除することができるとともに、貯留領域を容易にかつ安価に補修することができるパチンコ機を提供することにある。また、停電等が発生した場合でも、電源復帰後に、各入賞装置への入賞に応じた正規の個数の賞品球を払い出すことが可能なパチンコ機を提供することにある。
【０００５】
【課題を解決するための手段】
かかる本発明の構成は、入賞装置を設置した遊技盤の裏面に機構板が設置されており、その機構板に、前記入賞装置に入賞した入賞球を貯留するための貯留領域が設けられたパチンコ機であって、少なくとも１つ以上の貯留領域を設けた複数の貯留部材が、それぞれ別々に着脱自在に機構板に設置されていることにある。
【０００６】
【発明の実施の形態】
以下、本発明のパチンコ機の一実施形態を、図面に基づいて詳細に説明する。
【０００７】
［実施例１］
図１は、実施例１のパチンコ機の正面を示したものであり、パチンコ機１ａは、中央よりやや上側に、遊技盤５が設置されており、その遊技盤５の盤面に、各種の入賞装置４ａ〜４ｆ、図柄表示装置２７等が設置されている。なお、遊技盤５の下側には、供給皿６と貯留皿７とが上下に併設されており、貯留皿７の右側には、操作ハンドル８が設置されている。
【０００８】
一方、図２は、パチンコ機１ａの背面を一部省略して示したものであり、周囲を覆う外枠２の内側には、金属製のミドル枠９が設置されている。また、ミドル枠９の前面（パチンコ機１ａの背面から見た場合の前面）には、機構板１０が、一部を当接させた状態で設置されている。機構板１０の上方には、遊技球タンク１１が設置されており、機構板１０の右側（パチンコ機１ａの背面から見た場合の右側）には、遊技球払出装置１２が設置されている。そして、機構板１０の中央には、貯留部材１３が、着脱自在に設置されている。また、貯留部材１３の下側には、第一セーフ球排出装置２４と第二セーフ球排出装置２３とが、左右に併設されている。
【０００９】
図３は、機構板１０から、貯留部材１３、第一セーフ球排出装置２４、第二セーフ球排出装置２３を取り外した状態を示したものであり、機構板１０の中央には、貯留部材１３を設置するための設置領域３０が設けられており、周囲が隔壁２０によって区画された状態になっている。さらに、設置領域３０の周辺には、係着孔３１，３１・・が設けられている。
【００１０】
また、図４は、貯留部材１３を示したものであり、貯留部材１３には、第一貯留領域１９と第二貯留領域１８との２つの貯留領域が設けられている。そして、それらの第一貯留領域１９、第二貯留領域１８の下方には、それぞれ、第一遊技球通路２２、第二遊技球通路２１が連設されている。また、貯留部材１３には、係着孔１７，１７・・が穿設されている。
【００１１】
かかる貯留部材１３は、図５に示されるように、周面を機構板１０の隔壁２０に当接させるようにして、機構板１０の設置領域３０にはめ込まれている。そして、前面（パチンコ機１ａの背面から見た場合の前面）から、上側カバー部材１５が押し当てられ、上側カバー部材１５の挿通孔２５，２５・・穿設部分と、機構板１０の係着孔３１，３１穿設部分とが係着されることによって、上側カバー部材１５と機構板１０とで挟持された状態で、機構板１０に設置されている。なお、図６は、上側カバー部材１５の挿通孔２５，２５・・穿設部分と機構板１０の係着孔３１，３１・・穿設部分とを係着するための係着部材を示したものであり、係着部材３２は、先端が分割されたリング体３３の内部に押込体３４を挿通させたものであり、押込体３４を押し込むと、リング体３３の先端部が膨出し、押込体３４を引き出すと、リング体３３の先端部が復元して縮小するようになっている。このため、上側カバー部材１５の挿通孔２５，２５・・と機構板１０の係着孔３１，３１・・とに、係着部材３２のリング体３３を挿入し、その状態で、押込体３４を押し込むと、上側カバー部材１５の挿通孔２５，２５・・穿設部分と、機構板１０の係着孔３１，３１・・穿設部分とが係着され、押込体３４を引き出すと、係着が解除される。
【００１２】
また、同様な方法によって、上側カバー部材１５の挿通孔２５，２５・・穿設部分と貯留部材１３の係着孔１７，１７・・穿設部分とが係着されており、機構板１０と、上側カバー部材１５と、貯留部材１３とが一体になっている。さらに、同様な方法によって、下側カバー部材１６の挿通孔２６，２６・・穿設部分が、貯留部材１３の係着孔１７，１７・・穿設部分および機構板１０の係着孔３１，３１・・穿設部分に係着されており、下側カバー部材１６が、貯留部材１３の第一遊技球通路２２、第二遊技球通路２１の前方（パチンコ機１ａの背面から見た場合の前方）を覆った状態になっている。なお、図２においては、上側カバー部材１５、下側カバー部材１６、および、その前側（パチンコ機１ａの背面から見た場合の前側）に設置される制御装置等の記載が省略されている。
【００１３】
また、図２に示されるように、遊技盤５の入賞装置４ａ〜４ｅ設置部位の前方（パチンコ機１ａの背面から見た場合の前方）には、透明な合成樹脂によって形成された収容部材２８が設置されている。収容部材２８は、下側に導球路２９が設けられており、その導球路２９の下方に、貯留部材１３の第一貯留領域１９が位置した状態になっている。一方、入賞装置４ｆに設けられた流下口１４，１４の下方に、貯留部材１３の第二貯留領域１８が位置した状態になっている。
【００１４】
上記の如く構成されたパチンコ機１ａにおいては、遊技球が入賞装置４ａ〜４ｅに入賞した場合には、それらの入賞球が、遊技盤５の裏面に設けられた収容部材２８内に収容された後、導球路２９内を流下して、貯留部材１３の第一貯留領域１９に導かれる。第一貯留領域１９に導かれた遊技球は、第一遊技球通路２２を流下した後、その下側に設置された第一セーフ球排出装置２４のセンサ内を通過する。そして、遊技球が、第一セーフ球排出装置２４のセンサ内を通過すると、遊技球払出装置１２から、入賞装置４ａ〜４ｅへの入賞に対応した個数の賞品球（たとえば、６個）が払い出される。
【００１５】
また、パチンコ機１ａは、遊技球が入賞装置４ｅに入賞した場合には、図柄表示装置２７に表示された図柄が変動し、所定時間後に停止表示となり、停止表示となった図柄が、所定の図柄（たとえば、「７，７，７」）である場合には、「大当たり状態」が生起し、入賞装置４ｆが、所定時間の開成（扉の前開き）を所定回数だけ断続的に繰り返す。そして、開成した入賞装置４ｆに遊技球が入賞した場合には、それらの入賞球が、遊技盤５の裏面の流下口１４，１４から落下して、貯留部材１３の第二貯留領域１８に導かれる。第二貯留領域１８に導かれた遊技球は、第二遊技球通路２１を流下した後、その下側に設置された第二セーフ球排出装置２３のセンサ内を通過する。そして、遊技球が、第二セーフ球排出装置２３のセンサ内を通過すると、遊技球払出装置１２から、入賞装置４ｆへの入賞に対応した個数の賞品球（たとえば、１５個）が払い出される。
【００１６】
実施例１のパチンコ機１ａは、上記の如く、第一貯留領域１９と第二貯留領域１８とを設けた貯留部材１３が、着脱自在に機構板１０に設置されているため、貯留部材１３を取り外すことによって、第一貯留領域１９と第二貯留領域１８とを簡単に掃除することができる。また、第一貯留領域１９、第二貯留領域１８が損傷した場合でも、貯留部材１３を取り替えるだけで、容易かつ安価に補修することができる。
【００１７】
さらに、パチンコ機１ａは、遊技盤５の表面に、異なる個数の賞品球を払い出す入賞装置４ａ〜４ｆが設けられているとともに、貯留部材１３に、入賞装置４ａ〜４ｆへの入賞によって払い出される賞品球の個数の種類（すなわち、６個と１５個との２種類）と同数の貯留領域（すなわち、第一貯留領域１９、第二貯留領域１８）が設けられており、各入賞装置４ａ〜４ｆに入賞した入賞球が、払い出される賞品球の個数の種類毎に、第一貯留領域１９あるいは第二貯留領域１８に導かれるので、停電等が発生した場合でも、電源復帰後に、第一貯留領域１９、第二貯留領域１８に貯留した遊技球を、それぞれ、第一セーフ球排出装置２４、第二セーフ球排出装置２３により別々に検出することによって、各入賞装置４ａ〜４ｆへの入賞に応じた正規の個数の賞品球を払い出すことができる。
【００１８】
［実施例２］
実施例２のパチンコ機１ｂは、実施例１のパチンコ機１ａと異なり、図７の如く、第一貯留領域３７を設けた第一貯留部材３５と第二貯留領域３８を設けた第二貯留部材３６とが、それぞれ別々に着脱自在に、機構板１０の設置領域３０に設置されている。なお、パチンコ機１ｂのその他の部分の構成、作動内容は、実施例１のパチンコ機１ａの作動内容と同様である。
【００１９】
かかるパチンコ機１ｂは、実施例１のパチンコ機１ａと同様の効果を有しているばかりでなく、第一貯留領域３７を設けた第一貯留部材３５と第二貯留領域３８を設けた第二貯留部材３６とが、それぞれ別々に着脱自在に、機構板１０に設置されているため、第一貯留領域３７や第二貯留領域３８が損傷した場合には、第一貯留部材３５あるいは第二貯留部材３６のいずれか一方を取り替えるだけで、非常に安価に補修することができる。
【００２０】
なお、本発明のパチンコ機の構成は、上記した各実施例の態様に何ら限定されるものではなく、外枠、入賞装置、遊技盤、供給皿、貯留皿、操作ハンドル、ミドル枠、機構板、遊技球タンク、遊技球払出装置、貯留部材、カバー部材、セーフ球排出装置、図柄表示装置、収容部材、係着部材等の形状・構造等の構成を、本発明の趣旨を逸脱しない範囲で、必要に応じて適宜変更できる。
【００２１】
たとえば、パチンコ機は、複数の貯留領域を設けた貯留部材が着脱自在に機構板に設置されたものに限定されず、図８の如く、１つの貯留領域４０を設けた貯留部材３９が着脱自在に機構板に設置されたものでも良い。また、賞品球の払い出し個数が異なる２種類の入賞装置を遊技盤に設けたものに限定されず、賞品球の払い出し個数が３種類以上の入賞装置を遊技盤に設けたものでも良い。かかる構成を採用する場合でも、各入賞装置に入賞した入賞球が、払い出される賞品球数の種類毎に異なる貯留領域に導かれるように構成すれば、パチンコ機は、上記各実施例のパチンコ機と同様に、停電等が発生した場合でも、電源復帰後に、各入賞装置への入賞に応じた正規の個数の賞品球を払い出すことができるものとなる。
【００２２】
さらに、貯留部材を着脱自在に機構板に設置する方法は、カバー部材を利用した方法（機構板の設置領域とカバー部材とで貯留部材を挟持する方法）に限定されるものでなく、係着部材等を利用して貯留部材を機構板の設置領域に直接係着する方法等の他の方法でも良い。なお、貯留部材を着脱自在に機構板に設置する方法として、上記実施形態の如く、機構板の設置領域とカバー部材とで貯留部材を挟持する方法を採用した場合には、貯留部材の設置強度が高くなり、かつ貯留部材の着脱が容易となる、というメリットがある。
【００２３】
【発明の効果】
請求項１に記載されたパチンコ機は、複数の貯留部材がそれぞれ別々に着脱自在に機構板に設置されているため、貯留部材を取り外すことによって、貯留領域を簡単に掃除することができる。また、貯留領域が損傷した場合には、損傷した貯留領域を設けた貯留部材のみを取り替えるだけで、非常に安価に補修することができる。
【図面の簡単な説明】
【図１】パチンコ機の正面を示す説明図である。
【図２】パチンコ機の背面を示す説明図である。
【図３】機構板から貯留部材等を取り外した状態を示す説明図である。
【図４】貯留部材を示す説明図である。
【図５】貯留部材の設置状態を示す説明図である。
【図６】係着部材を示す説明図である。
【図７】機構板から貯留部材等を取り外した状態を示す説明図である。
【図８】貯留部材を示す説明図である。
【図９】従来のパチンコ機の背面を示す説明図である。
【図１０】従来のパチンコ機の機構板を示す説明図である。
【符号の説明】
１ａ，１ｂ・・パチンコ機、２・・外枠、４ａ〜４ｆ・・入賞装置、５・・遊技盤、６・・供給皿、７・・貯留皿、８・・操作ハンドル、９・・ミドル枠、１０・・機構板、１１・・遊技球タンク、１２・・遊技球払出装置、１３・・貯留部材、１４・・流下口、１５・・上側カバー部材、１６・・下側カバー部材、１７・・係着孔、１８・・第二貯留領域、１９・・第一貯留領域、２０・・隔壁、２１・・第二遊技球通路、２２・・第一遊技球通路、２３・・第二セーフ球排出装置、２４・・第一セーフ球排出装置、２５，２６・・挿通孔、２７・・図柄表示装置、２８・・収容部材、２９・・導球路、３０・・設置領域、３１・・係着孔、３２・・係着部材、３３・・リング体、３４・・押込体、３５・・第一貯留部材、３６・・第二貯留部材、３７・・第一貯留領域、３８・・第二貯留領域、３９・・貯留部材、４０・・貯留領域、５１・・パチンコ機、５２・・外枠、５３・・ミドル枠、５４・・機構板、５５・・遊技盤、５６・・貯留領域、５７・・遊技球通路、５８・・セーフ球排出装置、５９ａ〜５９ｆ・・入賞装置、６０・・遊技球払出装置。
【図１】
0004385435.tif 000002
【図２】
0004385435.tif 000003
【図３】
0004385435.tif 000004
【図４】
0004385435.tif 000005
【図５】
0004385435.tif 000006
【図６】
0004385435.tif 000007
【図７】
0004385435.tif 000008
【図８】
0004385435.tif 000009
【図９】
0004385435.tif 000010
【図１０】
0004385435.tif 000011